(57)【要約】【課題】平面状の表示装置を浴室に容易に設置できる表示装置保持具、およびその設置構造を提供する。【解決手段】浴室壁５２から浴室５内側に向かって突出した浴室設置物６に取り付け可能な取付部１１と、平面状の表示装置４をその表示画面４０を浴室壁５２と反対側に向けた状態で保持するための保持部１０とを備える。取付部１１が、浴室設置物６に引っ掛けられて支持される引掛部１８である。【選択図】図１
2016131855.tif 000002
【特許請求の範囲】
【請求項１】
浴室壁から浴室内側に向かって突出した浴室設置物に取り付け可能な取付部と、
平面状の表示装置をその表示画面を前記浴室壁と反対側に向けた状態で保持するための保持部とを備え、
前記取付部が、前記浴室設置物に引っ掛けられて支持される引掛部であることを特徴とする表示装置保持具。
【請求項２】
強磁性を有する浴室壁に取り付け可能な取付部と、
平面状の表示装置をその表示画面を前記浴室壁と反対側に向けた状態で保持するための保持部とを備え、
前記取付部が、前記浴室壁に吸着可能な磁石で構成されたことを特徴とする表示装置保持具。
【請求項３】
前記保持部が、
前記表示装置が載置される載置部と、
前記載置部で載置された前記表示装置を前記浴室壁と反対側から支持する支持部とを備えたことを特徴とする請求項１または請求項２に記載の表示装置保持具。
【請求項４】
前記載置部が前記取付部よりも下方に設けられたことを特徴とする請求項３に記載の表示装置保持具。
【請求項５】
前記載置部の前記表示装置が載置される面の長さ方向が、前記浴室壁に沿う横方向と平行であることを特徴とする請求項３または請求項４に記載の表示装置保持具。
【請求項６】
前記保持部が、
平面状で吸盤が吸着可能な吸着面を備えたことを特徴とする請求項１〜５のいずれか１項に記載の表示装置保持具。
【請求項７】
前記保持部に、前記浴室壁と反対側を向く鏡面部が設けられたことを特徴とする請求項１〜６のいずれか１項に記載の表示装置保持具。
【請求項８】
請求項１に記載の表示装置保持具が前記浴室に設置された保持具設置構造であって、
前記浴室壁に、前記浴室設置物として収納棚が設置され、
前記収納棚は、
前記浴室壁に沿って配置された棚と、
前記棚の上方部の前記浴室壁と反対側に配置された前壁とを備え、
前記引掛部が前記前壁の上端部に引っ掛けられて、前記表示装置保持具が前記収納棚に支持されたことを特徴とする保持具設置構造。
【発明の詳細な説明】
【技術分野】
【０００１】
本発明は、浴室に表示装置を設置するための表示装置保持具、およびその設置構造に関する。
【背景技術】
【０００２】
特許文献１には、テレビジョンを浴室壁に取り付ける際の取付け構造が開示されている。この取付け構造では、浴室壁に取付け金具がねじ止めされ、この取付け金具にテレビジョンが係合されている。
【先行技術文献】
【特許文献】
【０００３】
【特許文献１】特開２０１０−４１０８６号公報
【発明の概要】
【発明が解決しようとする課題】
【０００４】
ところで、前記取付け構造では、取付け金具を浴室壁に対してねじ止めにより固定する必要があり、手間を要する。
【０００５】
本発明は前記事情に鑑みてなされたものであって、平面状の表示装置を浴室に容易に設置できる表示装置保持具、およびその設置構造を提供することを課題とする。
【課題を解決するための手段】
【０００６】
前記課題を解決するために本発明の表示装置保持具は、浴室壁から浴室内側に向かって突出した浴室設置物に取り付け可能な取付部と、平面状の表示装置をその表示画面を前記浴室壁と反対側に向けた状態で保持するための保持部とを備え、前記取付部が、前記浴室設置物に引っ掛けられて支持される引掛部であることを特徴とする。
【０００７】
また、本発明の別の表示装置保持具は、強磁性を有する浴室壁に取り付け可能な取付部と、平面状の表示装置をその表示画面を前記浴室壁と反対側に向けた状態で保持するための保持部とを備え、前記取付部が、前記浴室壁に吸着可能な磁石で構成されたことを特徴とする。
【０００８】
また、本発明の保持具設置構造は、前記表示装置保持具が前記浴室に設置された保持具設置構造であって、前記浴室壁に、前記浴室設置物として収納棚が設置され、前記収納棚は、前記浴室壁に沿って配置された棚と、前記棚の上方部の前記浴室壁と反対側に配置された前壁とを備え、前記引掛部が前記前壁の上端部に引っ掛けられて、前記表示装置保持具が前記収納棚に支持されたことを特徴とする。
【発明の効果】
【０００９】
本発明に係る表示装置保持具および保持具設置構造では、取付部が、浴室設置物に引っ掛け可能な引掛部、または磁力を用いて浴室壁に吸着可能な磁石で構成されるため、表示装置保持具を浴室に容易に設置できる。
【図面の簡単な説明】
【００１０】
【図１】図１は、本発明の実施形態の表示装置保持具を浴室に設置した状態を示した斜視図である。
【図２】図２は、前記表示装置保持具の斜視図である。
【図３】図３は、吸盤が設けられた表示装置が、前記表示装置保持具で保持された状態を示した斜視図である。
【図４】図４は、浴室に設置した収納棚に前記表示装置保持具の引掛部を取り付けた状態を示した断面図である。
【図５】図５は、前記収納棚の設置構造を示した、連結具部分における断面図である。
【図６】図６は、浴室壁に設置された前記収納棚、およびこれに取り付けられる棚を示した斜視図である。
【図７】図７は、変形例１の表示装置保持具の斜視図である。
【図８】図８は、変形例２の表示装置保持具の斜視図である。
【図９】図９は、変形例３の表示装置保持具の斜視図である。
【図１０】図１０は、浴室壁に設置した変形例４の表示装置保持具、およびこの表示装置保持具に保持される表示装置を示した斜視図である。
【発明を実施するための形態】
【００１１】
以下、添付図面に基づき発明の実施形態について説明する。図１は、本実施形態の表示装置保持具１を浴室壁５２に設置した状態を示した斜視図である。以下、浴室５の４方の浴室壁５２のうち、表示装置保持具１が設置される浴室壁５２を設置壁５３と記載し、表示装置保持具１から見て設置壁５３側（浴室５外側）を後方、浴室５内側を前方、設置壁５３に沿う横方向を左右方向として説明する。すなわち、以下では、図１中Ｄ１に示す方向を前方、Ｄ２に示す方向を後方、Ｄ３に示す方向を左方、Ｄ４に示す方向を右方として説明する。
【００１２】
表示装置保持具１は、薄型のテレビジョン受像機や、タブレットコンピューターなどの平面状（平板状）の表示装置４を保持するために用いられる。
【００１３】
表示装置４の前面（一方の板面）には、映像を表示するための表示画面４０が設けられている。表示装置保持具１は、表示画面４０を前方に向けた状態で表示装置４を保持する。
【００１４】
表示装置保持具１は、例えばステンレスなどの金属板を折り曲げて形成される。なお、表示装置保持具１の材料は、ステンレスに制限されず、例えばステンレス以外の金属から形成されてもよいし、合成樹脂から形成されてもよい。
【００１５】
図２に示すように、表示装置保持具１は、表示装置４を保持するための保持部１０と、設置壁５３に設置された浴室設置物６に取り付けられる取付部１１とを備えている。
【００１６】
保持部１０は、平面状の表示装置４を立て掛けた状態で保持する機能を有している。保持部１０は、表示装置４が載置される載置部１２と、載置部１２で載置された表示装置４を設置壁５３側から支持する支持部１３とを備えている。
【００１７】
載置部１２は、厚み方向が上下方向と平行で、長さ方向が左右方向と平行な矩形平板状に形成されている。載置部１２の上面（表示装置４が載置される面）の長さ方向は、左右方向と平行である。載置部１２の上面には、例えば表示装置４の左右方向の全長にわたる下端部が載置され、このようにして表示装置４は載置部１２により下方から支持される。
【００１８】
支持部１３は、載置部１２の後端部から上方に突出した平板状に形成されている。支持部１３は、載置部１２の左右方向の全長にわたって形成されており、正面視矩形状である。支持部１３には、例えば載置部１２に載置された表示装置４の上端部が接して凭せ掛けられる。このようにして表示装置４は、保持部１０に立て掛けられて保持される。
【００１９】
支持部１３の前面は、全体にわたって凹凸のない平面状に形成されており、吸盤４１が吸着可能な吸着面１４となっている。例えば図３に示すように、表示装置４に吸盤４１を設け、この吸盤４１を吸着面１４に吸着することで、表示装置４を吸盤４１を介して支持部１３で支持することもできる。なお、この場合、表示装置４は吸盤４１と載置部１２の両者で支持されてもよいし、吸盤４１だけで支持されてもよい。
【００２０】
図２に示すように、保持部１０には、浴室５内側となる前方を向く鏡面部１５が設けられることが好ましい。本実施形態では、支持部１３の前面が鏡面部１５を構成している。この鏡面部１５は、例えば支持部１３の前面の全体を、光が反射して物が映る程度まで鏡面仕上げすることで形成される。なお、鏡面部１５は、支持部１３の前面に取り付けられた鏡であってもよい。
【００２１】
図２に示すように、保持部１０は、載置部１２の前端部から上方に突出した滑り止め部１６を備えている。滑り止め部１６は、厚み方向が前後方向と平行な矩形平板状に形成されている。滑り止め部１６は、載置部１２の左右方向の全長にわたって形成されている。
【００２２】
滑り止め部１６の上端は、支持部１３の上端よりも下方に位置し、支持部１３の大部分は、滑り止め部１６よりも上方に突出している。
【００２３】
保持部１０には、表示装置保持具１の下端部に位置する下溝部１７が形成されている。下溝部１７は、支持部１３の下端部、滑り止め部１６、および載置部１２で構成されており、上方および左右両側に開口している。
【００２４】
図１に示すように、下溝部１７には、表示装置４の下端部を挿入できる。この場合、滑り止め部１６は、表示装置４の下端部の前方に位置する。これにより、表示装置４は、下端部が滑り止め部１６によって前方から支持されることで、載置部１２の前側に滑り落ちることが抑制される。なお、滑り止め部１６は、省略可能である。
【００２５】
本実施形態の下溝部１７は、左右方向と直交する断面の形状が左右方向にわたって同じであり、表示装置４を載置部１２上に左右方向の位置を変更して載置できる。また、下溝部１７は、左右両側に開口しており、表示装置４の下端部を下溝部１７に側方から挿入することもできる。
【００２６】
図２に示すように、取付部１１は、浴室壁５２から前方に向かって突出した浴室設置物６に引っ掛けられて支持される引掛部１８で構成されている。
【００２７】
引掛部１８は、支持部１３の上端部から後方に向かって突出した上片部１９と、上片部１９の後端部から下方に向かって突出した掛止片部２０とで構成されている。引掛部１８は、載置部１２よりも上方に位置している。
【００２８】
上片部１９は、厚み方向が上下方向と平行で長さ方向が左右方向と平行な矩形平板状に形成されている。上片部１９は、支持部１３の左右方向の全長にわたって形成されている。
【００２９】
掛止片部２０は、厚み方向が前後方向と平行で長さ方向が左右方向と平行な矩形平板状に形成されている。掛止片部２０は、上片部１９の左右方向の全長にわたって形成されている。
【００３０】
表示装置保持具１の上端部には、上溝部２１が形成されている。上溝部２１は、支持部１３の上端部、上片部１９、および掛止片部２０で構成されている。上溝部２１は、下方および左右両側に開口している。引掛部１８は、上溝部２１に浴室設置物６を挿入することで浴室設置物６に引っ掛けられて支持される。このようにして、表示装置保持具１は浴室設置物６に吊り下げられる。
【００３１】
本実施形態の上溝部２１は、左右方向と直交する断面の形状が左右方向にわたって同じである。このため、例えば浴室設置物６において引掛部１８が引っ掛けられる部分の左右方向と直交する断面の形状が、左右方向にわたって略同じ形状である場合、引掛部１８を浴室設置物６に対して左右方向にスライドして表示装置保持具１の左右位置を調整できる。
【００３２】
図１は、表示装置保持具１を浴室設置物６である収納棚６０に設置した状態を示した斜視図である。図１に示す浴室５は、洗い場５０と、洗い場５０に隣接する浴槽５１と、４方の浴室壁５２とを備えている。
【００３３】
浴槽５１は、利用者の上半身を浴槽５１の長さ方向の一端側に位置させ、かつ利用者の脚を浴槽５１の長さ方向の他端側に延ばした状態で入浴できる形状に形成されている。浴槽５１の長さ方向の一端側には、利用者の頭を置くためのヘッドレスト５４および利用者の腕を置くためのアームレスト５５が形成され、浴槽５１の長さ方向の他端側には利用者の足を置くためのフットレスト５６が形成されている。
【００３４】
図１に示す例では、浴槽５１の幅方向と平行な浴室壁５２（浴槽５１と洗い場５０に跨って設置される浴室壁５２）のうち、浴槽５１に入浴した人の足先側に位置する一方の浴室壁５２が、設置壁５３となっている。設置壁５３には、浴室設置物６として、収納棚６０が設置されている。
【００３５】
収納棚６０は、設置壁５３に沿って左右方向に延びている。収納棚６０は、浴槽５１よりも上方に位置している。本実施形態の収納棚６０は、設置壁５３の左右方向の全長にわたっており、設置壁５３において洗い場５０と浴槽５１の両者に対応する部分に跨っている。
【００３６】
なお、収納棚６０は、設置壁５３において、浴槽５１に対応する部分にのみ、あるいは洗い場５０に対応する部分にのみ設けられてもよい。また、収納棚６０は、浴槽５１に入浴した人の足先側に位置する浴室壁５２以外の３方のいずれかの浴室壁５２に設置されてもよい。
【００３７】
図４〜図６に示すように、収納棚６０は、設置壁５３に対向した前壁６２と、設置壁５３と前壁６２を連結した複数の連結具６３を備えている。収納棚６０は、さらに設置壁５３と前壁６２のそれぞれに複数設けられた支持具６４と、これら支持具６４に支持されて設置壁５３と前壁６２の間に配置された複数の棚６５を備えている。
【００３８】
図４に示すように、前壁６２は、設置壁５３の前方に隙間６６を介して配置されている。前壁６２は、厚み方向が前後方向と平行で長さ方向が左右方向と平行な、略矩形板状に形成されている。前壁６２の左右方向と直交する断面の形状は、左右方向にわたって一様である。
【００３９】
前壁６２の上端部には、前壁６２の上端部を手で掴んだ際に指を引っ掛けるための指掛部６７が形成されている。指掛部６７は、前壁６２の上端部から後方に向かって突出している。指掛部６７は、前壁６２の左右方向の全長にわたって形成されている。なお、指掛部６７は、例えば前壁６２の後面に形成された凹部であってもよい。また、指掛部６７は、省略可能である。
【００４０】
前壁６２は、左右方向に並べて配置された複数の連結具６３を介して設置壁５３に連結されている。
【００４１】
前壁６２、および設置壁５３において前壁６２に対向する部分のそれぞれには、複数の支持具６４が左右方向に並べて取り付けられている。前壁６２に設けられた複数の支持具６４は、前壁６２の下部から後方に向かって突出している。設置壁５３に設けられた複数の支持具６４は、設置壁５３から前方に向かって突出している。
【００４２】
棚６５は、左右方向に隣り合う連結具６３の間のそれぞれに配置されている。各棚６５は、前部が前壁６２に設けられた支持具６４により支持され、後部が設置壁５３に設けられた支持具６４により支持されており、設置壁５３と前壁６２の間の下部に位置している。前壁６２の上部は、棚６５の上方部の前側（設置壁５３と反対側）に位置している。
【００４３】
各棚６５には、ボトルや清掃用具などの物品を載置することができる。このように棚６５に載置された物品の前方には前壁６２が位置するため、棚６５に載置された物品は、棚６５の前側に落ち難い。
【００４４】
浴室５の利用者は、浴槽５１や洗い場５０において立ち上がるときや座るときなどに、収納棚６０の前壁６２の上端部を掴むことで、その動作を安定させることができる。すなわち、この場合、収納棚６０は、利用者から与えられる荷重を受ける手摺りとして機能する。
【００４５】
図１に示すように、収納棚６０の前壁６２は、設置壁５３において浴槽５１と洗い場５０に対応する部分に跨って設けられている。このため、利用者は、前壁６２を掴みながら、浴槽５１から洗い場５０に移動したり、洗い場５０から浴槽５１に移動したりすることができる。また、図４に示すように、前壁６２の上端部には指掛部６７が形成されているため、利用者は前壁６２の上端部を掴んだ手の指を指掛部６７の下面に掛けて、滑り難い状態で前壁６２の上端部を掴むことができる。
【００４６】
表示装置保持具１を収納棚６０に取り付ける場合、利用者は、図４に示すように、表示装置保持具１の上溝部２１に、収納棚６０の前壁６２の上端部を嵌め込む。これにより、引掛部１８が、収納棚６０の前壁６２の上端部に引っ掛けられる。すなわち、掛止片部２０が指掛部６７の後面に掛止され、引掛部１８の上片部１９が前壁６２に載置され、支持部１３の上端部が前壁６２の前面に沿って配置される。
【００４７】
表示装置保持具１の引掛部１８は、前壁６２の上端部の左右方向における任意の位置に引っ掛けることができる。このため、利用者は、表示装置保持具１を収納棚６０に対して左右方向の位置を調節して取り付け、表示装置４を、浴槽５１に居る人から見えやすい位置など、所望の位置に配置できる。また、利用者は、前壁６２の上端部に引っ掛けられた引掛部１８を前壁６２に沿ってスライドして、表示装置保持具１の左右方向の位置を微調整することもできる。
【００４８】
なお、表示装置保持具１の引掛部１８は、浴室設置物６の左右方向における複数個所のうちの任意の箇所に選択的に引っ掛け可能であってもよい。また、表示装置保持具１は、浴室設置物６の一箇所にのみ引っ掛け可能であってもよい。
【００４９】
表示装置保持具１は、上方に移動して収納棚６０に対する引掛部１８の掛止を解除することで、収納棚６０から簡単に取り外すことができる。
【００５０】
なお、本実施形態では、表示装置保持具１の引掛部１８を収納棚６０に引っ掛けて取り付ける例について説明したが、引掛部１８は、浴室壁５２から浴室５内に向かって突出して設置されるその他の浴室設置物に引っ掛けられるように構成されてもよい。その他の浴室設置物としては、例えば浴室壁５２に沿って横に長い握りバーやタオル掛けなどが挙げられる。なお、引掛部１８が引っ掛けられる浴室設置物には、単に表示装置保持具１を設置壁５３に取り付けることを目的として浴室壁５２に設けられるねじやビスなどの固着具は含まれない。
【００５１】
設置壁５３に浴室設置物６を介して取り付けられた表示装置保持具１は、図１に示すように保持部１０で平面状の表示装置４を保持する。これにより、利用者は、例えば浴槽５１に居ながら、表示装置保持具１で保持された表示装置４の表示画面４０を見て、快適に入浴できる。
【００５２】
以上説明した本実施形態の表示装置保持具１は、以下の特徴を有している。浴室壁５２から浴室５内側に向かって突出した浴室設置物６に取り付け可能な取付部１１と、平面状の表示装置４を表示画面４０を浴室壁５２と反対側に向けた状態で保持するための保持部１０とを備える。取付部１１が、浴室設置物６に引っ掛けられて支持される引掛部１８である。
【００５３】
この特徴を有する表示装置保持具１は、引掛部１８を浴室設置物６に引っ掛けることで、簡単に設置できる。また、表示装置保持具１は、浴室５に予め設置された浴室設置物６を利用して設置できるため、表示装置保持具１を浴室壁５２に固定するためのビスなどの固着具を別途設ける必要がない。このため、浴室壁５２において前記のようなビスが挿入された箇所のシール性を確保する必要がなく、この点でも表示装置保持具１の設置の手間を軽減できる。
【００５４】
また、表示装置保持具１は、本実施形態のように以下の特徴を有することが好ましい。保持部１０が、表示装置４が載置される載置部１２と、載置部１２で載置された表示装置４を浴室壁５２と反対側から支持する支持部１３とを備える。
【００５５】
この特徴を有する表示装置保持具１は、保持部１０により平面状の表示装置４を立て掛けた状態で保持できる。
【００５６】
また、表示装置保持具１は、本実施形態のように載置部１２が取付部１１よりも下方に設けられることが好ましい。
【００５７】
この表示装置保持具１は、取付部１１よりも下方に位置する載置部１２で、表示装置４を比較的低い位置に支持できる。このため、表示装置４を、浴槽５１や洗い場５０に座った利用者から見えやすい低い位置に配置できる。
【００５８】
また、表示装置保持具１は、本実施形態のように、載置部１２の表示装置４が載置される面（上面）の長さ方向が、浴室壁５２に沿う横方向と平行であることが好ましい。
【００５９】
この表示装置保持具１は、載置部１２により平面状の表示装置４を広範囲にわたって支持でき、平面状の表示装置４を載置部１２に安定して保持できる。
【００６０】
また、表示装置保持具１は、保持部１０が、平面状で吸盤４１が吸着可能な吸着面１４を備えることが好ましい。
【００６１】
この表示装置保持具１は、表示装置４に設けられた吸盤４１を吸着面１４に吸着した状態で、表示装置４を安定して保持できる。
【００６２】
また、表示装置保持具１は、保持部１０に、浴室壁５２と反対側を向く鏡面部１５が設けられることが好ましい。このようにすることで、利用者は表示装置保持具１を鏡としても利用できる。
【００６３】
また、本実施形態の保持具設置構造は、以下の特徴を有している。表示装置保持具１が浴室５に設置される。浴室壁５２に、浴室設置物６として収納棚６０が設置される。収納棚６０は、浴室壁５２に沿って配置された棚６５と、棚６５の上方部の浴室壁５２と反対側に配置された前壁６２とを備える。引掛部１８が前壁６２の上端部に引っ掛けられて、表示装置保持具１が収納棚６０に支持される。
【００６４】
この特徴を有する保持具設置構造では、表示装置保持具１を、収納棚６０の前壁６２を利用して、浴室壁５２に設置することができる。
【００６５】
（変形例１）
図７に変形例１の表示装置保持具１Ａを示す。なお、以下の変形例１の説明では、前記実施形態で用いた名称を用いて説明し、前記実施形態と重複する点については説明を省略する。また、以下では、前記実施形態で用いた符合の末尾にＡを追加した符合を用いて、変形例１について説明する。
【００６６】
表示装置保持具１Ａは、引掛部１８Ａと保持部１０Ａの一部が線材２２Ａで構成されている。
【００６７】
矩形平板状の支持部１３Ａの両側端部のそれぞれには、線材２２Ａが接続されている。各線材２２Ａは、縦線部２３Ａ、上横線部２４Ａ、掛止部２５Ａ、下横線部２６Ａ、および立上部２７Ａを備えている。
【００６８】
上下方向に延びた縦線部２３Ａは、上部が支持部１３Ａの側端部に溶接などにより接続されている。縦線部２３Ａの下部は、支持部１３Ａよりも下方に突出している。
【００６９】
上横線部２４Ａは、縦線部２３Ａの上端部から後方に向かって突出している。上横線部２４Ａは、支持部１３Ａの上端部と略同じ高さに位置している。掛止部２５Ａは、上横線部２４Ａの後端部から下方に向かって突出している。両線材２２Ａの上横線部２４Ａと掛止部２５Ａによって、引掛部１８Ａが構成されている。
【００７０】
下横線部２６Ａは、縦線部２３Ａの下端部から前方に突出している。両線材２２Ａの下横線部２６Ａにより、載置部１２Ａが構成されている。立上部２７Ａは、下横線部２６Ａの前端部から上方に突出している。両線材２２Ａの立上部２７Ａにより、滑り止め部１６Ａが構成されている。
【００７１】
本変形例１の表示装置保持具１Ａは、その一部が線材２２Ａで構成されて構造が簡易である。また、両線材２２Ａの上横線部２４Ａ同士の間、掛止部２５Ａ同士の間、縦線部２３Ａ同士の間、および立上部２７Ａ同士の間には、隙間が形成される。このため、表示装置保持具１Ａには、水が溜まりにくい。また、表示装置保持具１Ａは、乾きやすくてカビなどが発生しにくい。
【００７２】
（変形例２）
図８に変形例２の表示装置保持具１Ｂを示す。なお、以下の変形例２の説明では、前記実施形態で用いた名称を用いて説明し、前記実施形態と重複する点については説明を省略する。また、以下の変形例２の説明では、前記実施形態で用いた符合の末尾にＢを追加した符合を用いる。
【００７３】
表示装置保持具１Ｂは、支持部１３Ｂが網状に形成されている。また、引掛部１８Ｂと保持部１０Ｂの一部が線材２２Ｂで構成されている。
【００７４】
支持部１３Ｂは、例えば金属や合成樹脂から形成される。支持部１３Ｂは、全体が矩形状に形成されている。支持部１３Ｂには前後方向に貫通する網目（貫通孔）２８Ｂが多数形成されている。
【００７５】
支持部１３Ｂの両側端部のそれぞれには、線材２２Ｂが接続されている。各線材２２Ｂは、縦線部２３Ｂ、上横線部２４Ｂ、掛止部２５Ｂ、下横線部２６Ｂ、および立上部２７Ｂを備えている。
【００７６】
上下方向に延びた縦線部２３Ｂは、上下方向の中間部が支持部１３Ｂの側端部に接続されている。縦線部２３Ｂの下端部は、支持部１３Ｂよりも下方に突出し、縦線部２３Ｂの上端部は、支持部１３Ｂよりも上方に突出している。
【００７７】
上横線部２４Ｂは、縦線部２３Ｂの上端部から後方に向かって突出している。掛止部２５Ｂは、上横線部２４Ｂの後端部から下方に向かって突出している。両線材２２Ｂの上横線部２４Ｂと掛止部２５Ｂによって、引掛部１８Ｂが構成されている。
【００７８】
下横線部２６Ｂは、縦線部２３Ｂの下端部から前方に突出している。両線材２２Ｂの下横線部２６Ｂにより、載置部１２Ｂが構成されている。立上部２７Ｂは、下横線部２６Ｂの前端部Ｂから上方に突出している。両線材２２Ｂの立上部２７Ｂにより、滑り止め部１６Ｂが構成されている。
【００７９】
本変形例２の表示装置保持具１Ｂは、その一部が線材２２Ｂで構成されて構造が簡易である。また、両線材２２Ｂの上横線部２４Ｂ同士の間、掛止部２５Ｂ同士の間、縦線部２３Ｂ同士の間、下横線部２６Ｂ同士の間、および立上部２７Ｂ同士の間には隙間が形成され、支持部１３Ｂには多数の網目２８Ｂが形成される。このため、表示装置保持具１Ｂには、水が溜まりにくく、また、乾きやすくてカビなどが発生しにくい。
【００８０】
（変形例３）
図９に変形例３の表示装置保持具１Ｃを示す。なお、以下の変形例３の説明では、前記実施形態で用いた名称を用いて説明し、前記実施形態と重複する点については説明を省略する。また、以下では、前記実施形態で用いた符合の末尾にＣを追加した符合を用いて、変形例３について説明する。
【００８１】
表示装置保持具１Ｃは、左右の縦線材２２Ｃと、左右の縦線材２２Ｃを繋ぐ複数の横線材Ｃ２９とで構成されている。
【００８２】
各縦線材２２Ｃは、縦線部２３Ｃ、上横線部２４Ｃ、掛止部２５Ｃ、下横線部２６Ｃ、および立上部２７Ｃを備えている。
【００８３】
上横線部２４Ｃは、上下方向に延びた縦線部２３Ｃの上端部から後方に向かって突出している。掛止部２５Ｃは、上横線部２４Ｃの後端部から下方に向かって突出している。両縦線材２２Ｃの上横線部２４Ｃと掛止部２５Ｃによって、引掛部１８Ｃが構成されている。
【００８４】
下横線部２６Ｃは、縦線部２３Ｃの下端部から前方に突出している。両縦線材２２Ｃの下横線部２６Ｃにより、載置部１２Ｃが構成されている。立上部２７Ｃは、下横線部２６Ｃの前端部から上方に突出している。両縦線材２２Ｃの立上部２７Ｃにより、滑り止め部１６Ｃが構成されている。
【００８５】
両縦線材２２Ｃの縦線部２３Ｃは、左右方向に離間している。両縦線材２２Ｃの縦線部２３Ｃ同士は、上下方向に複数並ぶ横線材２９Ｃによって接続されている。
【００８６】
各横線材２９Ｃは、左右方向に延びている。両横線材２９Ｃは、上下に離れている。これら複数の横線材２９Ｃにより、支持部１３Ｃが構成されている。
【００８７】
本変形例３の表示装置保持具１Ｃは、線材２２Ｃ、２９Ｃで構成されるため、構造が簡易である。また、両縦線材２２Ｃの間、および両横線材２９Ｃの間には、隙間が形成されている。このため、表示装置保持具１Ｃには、水が溜まりにくい。また、表示装置保持具１Ｃは、乾きやすく、カビなどが発生しにくい。
【００８８】
（変形例４）
図１０に変形例４の表示装置保持具１Ｄを示す。なお、以下の変形例４の説明では、前記実施形態で用いた名称を用いて説明し、前記実施形態と重複する点については説明を省略する。また、以下の変形例４の説明では、前記実施形態で用いた符合の末尾にＤを追加した符合を用いる。
【００８９】
変形例４の表示装置保持具１Ｄの取付部１１Ｄは、複数の磁石３０Ｄ（永久磁石）で構成されている。これら複数の磁石３０Ｄは、支持部１３Ｄの後面に固定されている。各磁石３０Ｄは、載置部１２Ｄよりも上方に位置している。なお、取付部１１Ｄは、１つの磁石で構成されてもよい。
【００９０】
表示装置保持具１Ｄは、例えば図１０に示すように設置壁５３Ｄに取り付けられる。この設置壁５３Ｄは、例えば鋼板で構成された表面板５７Ｄを備えており、強磁性を有している。表示装置保持具１Ｄは、後面に設けられた複数の磁石３０Ｄが表面板５７Ｄの表面に沿っており、これら複数の磁石３０Ｄの磁気吸着力によって表面板５７Ｄに固定されている。
【００９１】
本変形例の表示装置保持具１Ｄは、以下の特徴を有している。強磁性を有する浴室壁５２Ｄに取り付け可能な取付部１１Ｄと、平面状の表示装置４Ｄをその表示画面４０Ｄを浴室壁５２Ｄと反対側に向けた状態で保持するための保持部１０Ｄとを備える。取付部１１Ｄが、浴室壁５２Ｄに吸着可能な磁石３０Ｄで構成される。
【００９２】
この特徴を有する表示装置保持具１Ｄは、磁石３０Ｄと強磁性を有する浴室壁５２との間で発生する磁力を利用して、浴室壁５２Ｄに容易に固定できる。また、表示装置保持具１Ｄを浴室壁５２Ｄに固定するためのビスなどの固着具を別途設ける必要がない。このため、浴室壁５２Ｄにおいて前記のようなビスが挿入された箇所のシール性を確保する必要がなく、この点でも表示装置保持具１Ｄの設置の手間を軽減できる。
【符号の説明】
【００９３】
１  表示装置保持具
１０  保持部
１１  取付部
１２  載置部
１３  支持部
１８  引掛部
３０Ｄ  磁石
４  表示装置
４０  表示画面
５  浴室
５２  浴室壁
６  浴室設置物
６０  収納棚
【図１】
2016131855.tif 000003
【図２】
2016131855.tif 000004
【図３】
2016131855.tif 000005
【図４】
2016131855.tif 000006
【図５】
2016131855.tif 000007
【図６】
2016131855.tif 000008
【図７】
2016131855.tif 000009
【図８】
2016131855.tif 000010
【図９】
2016131855.tif 000011
【図１０】
2016131855.tif 000012